(57)【要約】本発明は、携帯や持ち運びに便利な本、ノート、システム手帳、手帳、日記帳又はスケッチブック、これらを携帯するための便利なひも、ストラップを提供する。すなわち、携帯用の把手となるひも、ストラップ等を通すために、表表紙及び裏表紙にあけられた孔を備えた本、ノート、システム手帳、手帳、日記帳又はスケッチブックである。この孔にひも、ストラップを通して、携帯に便利な本、ノート、システム手帳、手帳、日記帳又はスケッチブックとすることが出来る。又、上記本等に設けた孔に通すひも、ストラップに環状のゴムを備え、更には、孔のあいた小物入れ等を同時にひもに通して本等に連結させることが出来る。ひも、ストラップには複数の留め具を備えることが出来る。
2003103981.tif 000002
【特許請求の範囲】
【請求項１】
携帯用の把手となるひも、ストラップ等を通すための孔を、表表紙にあけられた孔と裏表紙にあけられた孔とが上下関係の位置がほぼ一致するように、それぞれの表紙に少なくとも１個ずつ備えた本、ノート、手帳、システム手帳、日記帳又はスケッチブック。
【請求項２】
前記孔が表表紙と裏表紙それぞれに２個ずつ備えられ、本の周縁部の中心位置から互いに略等距離にあけられた請求の範囲第１項に記載の本、ノート、手帳、システム手帳、日記帳又はスケッチブック。
【請求項３】
携帯用の把手となるひも、ストラップ等を通すための孔を、表表紙にあけられた孔と裏表紙にあけられた孔との上下関係の位置が一致しないようにそれぞれ１個ずつ備え、且つそれぞれの孔の位置が本の周縁部の中心位置から互いに略等距離になるように備えた本、ノート、手帳、システム手帳、日記帳又はスケッチブック。
【請求項４】
請求の範囲第１項から第３項のいずれかに記載の本、ノート、手帳、システム手帳、日記帳又はスケッチブックの孔に、補強具を備えた本、ノート、手帳、システム手帳、日記帳又はスケッチブック。
【請求項５】
請求の範囲第１項から第４項のいずれかに記載の本、ノート、手帳、システム手帳、日記帳又はスケッチブックの孔と、該本、ノート、手帳、システム手帳、日記帳又はスケッチブックのページ部分とが重ならないように、表紙をページ部分よりも長くした本、ノート、手帳、システム手帳、日記帳又はスケッチブック。
【請求項６】
請求の範囲第１項から第５項のいずれかに記載の本、ノート、手帳、システム手帳、日記帳又はスケッチブックの孔に、ひも、ストラップ等を通し把手とした携帯に便利な本、ノート、手帳、システム手帳、日記帳又はスケッチブック。
【請求項７】
請求の範囲第３項を除く請求の範囲第１項から第５項のいずれかに記載の孔を備えた本、ノート、手帳、システム手帳、日記帳又はスケッチブックに於いて、表表紙の孔に通すひも、ストラップの長さと裏表紙の孔に通すひも、ストラップの長さを変えて、表表紙の孔に通すひも、ストラップと裏表紙の孔に通すひも、ストラップを把持した際に両者が上下関係において互いに重なるように配置された本、ノート、手帳、システム手帳、日記帳又はスケッチブック。
【請求項８】
請求の範囲第１項から第７項のいずれかに記載の本、ノート、手帳、システム手帳、日記帳又はスケッチブックの孔にひも、ストラップを通すに際し、筆入れ、小物入れ又はハガキ等の紙類に設けた孔にも同時に通し、前記筆入れ、小物入れ又はハガキ等の紙類を一緒に携帯することが出来る本、ノート、手帳、システム手帳、日記帳又はスケッチブック。
【請求項９】
請求の範囲第１項から第８項のいずれかに記載の本、ノート、手帳、システム手帳、日記帳又はスケッチブックの孔にひも、ストラップを通すに際し、前記ひも、ストラップに環状のゴム等を備えた本、ノート、手帳、システム手帳、日記帳又はスケッチブック。
【請求項１０】
前記環状ゴム等に筆記用具を挟み込んだ請求の範囲第９項に記載の本、ノート、手帳、システム手帳、日記帳又はスケッチブック。
【請求項１１】
本、ノート、手帳、システム手帳、日記帳又はスケッチブックに設けた孔に通すひも、ストラップであって、ホック、スナップ、ボタン又はマグネット等の留め具を備え、前記留め具同志の装脱着により前記孔に装脱着自在、且つ折り曲げ自在なひも、ストラップ。
【請求項１２】
凹凸又は裏表の区別のあるホック、スナップ、ボタン、マグネット等の留め具を複数備えたひも、ストラップであって、前記ひも、ストラップの一端の最端に備える留め具を凹型、他端の最端に備える留め具を凸型とし、前記ひも、ストラップの一端の残りの留め具を凸型、他端の残りの留め具を凹型とした請求の範囲第１１項に記載のひも、ストラップ。
【請求項１３】
本、ノート、手帳、システム手帳、日記帳又はスケッチブックに設けた孔に通すひも、ストラップであって、切り込みと、前記切り込みに挿入し固定が可能なボタン、ひねり又はおこし等の留め具を備え、前記孔に装脱着自在、且つ折り曲げ自在なひも、ストラップ。
【請求項１４】
本、ノート、手帳、システム手帳、日記帳又はスケッチブックに設けた孔に通すひも、ストラップであって、キーホルダー状の金具、カン、輪又はひも等の留め具を備え、前記孔に装脱着自在、且つ折り曲げ自在なひも、ストラップ。
【発明の詳細な説明】
技術分野
本発明は、持ち運びや携帯等の利便性を備えるために、表表紙及び裏表紙に孔をあけた本やノート等、ひもやストラップを通して把手とし携帯に便利な本やノート等、及びこれらの本やノート等の孔に通すひもやストラップに関する。
背景技術
本やノート等を持ち歩く際には、そのまま又はカバーをつけて、手で抱えたり、鞄に入れたり、ハンドバッグに入れたりする必要があり、手軽に持ち歩きが出来ないという問題がある。又、複数の本やノートを重ねて手で持ち歩くことは困難で、落としやすいという問題もある。更に、複数の本やノートをまとめるためにブックバンドを使用する場合、手に持ったり腕に抱えることになるので、本やノートを搬送中に何かをすることは困難である。ここで本というのは、専門書、小説、辞書等の他絵本、地図や旅行ガイドブックその他印刷物を含み、ノートにはスケッチブック、手帳やシステム手帳も含むものである。
本発明は、本やノートにそれらの表表紙及び裏表紙に孔を設けるもので、それらの孔にひも、ストラップを通して持ち運びや携帯に便利な本やノート等及びこれらの本やノートの孔に通すひもやストラップを提供しようとするものである。
本やノートの表紙に孔をあけること自体は知られている。例えば、本やノートの一端に綴じ込み孔をあけ、その綴じ込み孔に綴じ込み具を配置して本やノートを綴じ込む方法が知られている（実開昭６０−６２９７２、実開昭６１−７４４８０）。又、電子楽器を収納し、その楽器の操作部の一部が臨めるように、表紙の一部に切り欠き又は孔を設けることが知られている（実開平１−７５５００）。同様に、筆記用具を納めるための孔を設けること（実開昭６３−４１５８６）、上製本の内部を見通すための透明な板を有する窓を設ける（特開２００１−１５０８３５）ことが知られている。しかしながら、本やノートに、持ち運びや携帯の利便性を考慮して、ひもやストラップを通すための孔を設けることは知られていない。又、複数の本やノートをまとめるためのブックバンドは存在するが、本やノートを持ち運ぶ用途で様々な本やノートに対応出来、利便性を考慮したひもやストラップは見あたらない。
本そのものに把手を取り付け、持ち運びを可能にしている例はある（実開昭５２−３９２２３）。しかしながら、この把手は本に固定されており、取り外すことは出来ないので、通常本を読むときには不便である。又、これらの本を本棚に複数冊並べる際に、把手の部分があるために整然と並べられないという欠点もある。
一方で、取り外し可能な把手を取り付けたブックホルダー（実開昭５０−６４３５）や本を携帯するバッグ（実開昭６１−７５７２１）はあるが、これらと大きさが合致した本しか収納することが出来ず、使用する本が限定されてしまう。又ホルダーやバッグに本を収納したり、取り出したりするのに時間を要するので不便である。
発明の開示
本発明は、表表紙及び裏表紙にそれぞれ孔を設けた本やノート、該孔にひもやストラップを通し把手とし携帯に便利な本やノート及び、これらの本やノートの孔に通すための装脱着且つ折り曲げが自在のひもやストラップである。即ち、携帯用の把手となるひも、ストラップ等を通すための孔を、表表紙にあけられた孔と裏表紙にあけられた孔とが上下関係の位置がほぼ一致するように、それぞれの表紙に少なくとも１個ずつ備えた本、ノート、手帳、システム手帳、日記帳又はスケッチブックである。
これらの本、ノート、手帳、システム手帳、日記帳又はスケッチブック等に設けられた孔は、それぞれの表紙に２個ずつ設ける場合は、本の周縁部の中心位置から互いに略等距離にあけられたものが好ましい。
又、本、ノート、手帳、システム手帳、日記帳又はスケッチブックは携帯用の把手となるひも、ストラップ等を通すための孔を、表表紙にあけられた孔と裏表紙にあけられた孔との上下関係の位置が一致しないようにそれぞれ１個ずつ備え、且つそれぞれの孔の位置が本の周縁部の中心位置から互いに略等距離になるように設けたものであってもよい。
本、ノート、手帳、システム手帳、日記帳又はスケッチブックの表表紙及び裏表紙に設けた孔には、補強具を備えることが出来る。特に、表紙が薄い場合は補強具の効果が著しい。
孔を設けた本、ノート、手帳、システム手帳、日記帳又はスケッチブックは孔とページ部分とが重ならないように、表紙をページ部分よりも長くすることが出来る。
表紙に設けた孔にはひも、ストラップ等を通し把手とし、携帯に便利な本、ノート、手帳、システム手帳、日記帳又はスケッチブックとすることが出来る。
又、本、ノート、手帳、システム手帳、日記帳又はスケッチブックの表表紙の孔に通すひも、ストラップの長さと裏表紙の孔に通すひも、ストラップの長さを変えて、表表紙の孔に通すひもと裏表紙の孔に通すひもを把持した際に両者が上下関係において互いに重なるように配置されたものであってもよい。
本、ノート、手帳、システム手帳、日記帳又はスケッチブックに設けた孔にひも、ストラップを通すに際し、筆入れ、小物入れ又はハガキ等の紙類に設けた孔にも同時に通し、筆入れや小物入れやハガキ等の紙類を一緒に携帯することが出来る。
又、本、ノート、手帳、システム手帳、日記帳又はスケッチブックに設けた孔にひも、ストラップを通すに際し、環状のゴム等を備え、更にこのゴムに筆記用具を挟み込んだものであってもよい。
本の孔に通すひも、ストラップは、ホック、スナップ、ボタン又はマグネット等の留め具を備え、装脱着自在、且つ折り曲げ自在なものであってよい。
又、本の孔に通すひも、ストラップは、凹凸や裏表の区別のあるホック、スナップ、ボタン又はマグネット等の留め具を複数備え、一端の最端に備える留め具を凹型、他端の最端に備える留め具を凸型とし、一端の残りの留め具を凸型、他端の残りの留め具を凹型としたものでもよく、こうしてできた同一のひも、ストラップ２本を向かい合わせて、それぞれ本の孔に通すことによって、ひもの長さの調節や、本を閉じることが可能となる。
留め具付きのひもには切り込みを備え、ボタン、ひねり又はおこし等の留め具を切り込みに挿入して装脱着自在、且つ折り曲げ自在なものであってもよい。切り込みを備えることにより、ひもに備える留め具の数を減らすことが出来る。
キーホルダー状の金具、カン、輪又はひも等の装脱着自在な留め具を備えたひもを本の孔に通してもよい。この場合に於いても、ひもを自在に折り曲げることが出来、本を読む時等にひもが邪魔にならない。これらの留め具は本の孔に通すための先端部に備えるに限らず、ひもの途中に備えひもとひもを留め具で連結させたものでもよい。この場合も同様に、ひもを自在に折り曲げることが出来るという効果がある。
このようにして、本やノートに設けた孔にひもやストラップを通せば、ひもやストラップを手に持ったり、肩に掛けたりして便利に持ち歩いたり、携帯することが出来る。しかも複数の本やノートを同時に持ち歩くことが可能になる。又、孔のあいた筆入れ等を本の孔に通したひも等に通して携帯したり、携帯用の把手として設けたひもに取り付けた環状のゴムに筆記用具を挟み込んで携帯することが出来る。ひもやストラップを取り外せば従来の本やノート等と同様に棚や引き出しに収納することが可能である。しかも、ひもやストラップは個人の好みで自由に選択出来、その上長さを自由に調節したり、持ち運びの際に本が開かないよう工夫したりしておしゃれ感覚で楽しむことも出来る。ひもやストラップは折り曲げ自在なので、本を読むときにひもが邪魔になることがない。更に、１種類のひもやストラップをあらゆる本やノートに対応出来るよう工夫することによって、利便性を高めることが出来る。
発明を実施するための最良の形態
以下、本発明を実施形態に基づいて説明する。尚、実施形態の説明は本を中心に行うが、ノート、手帳、システム手帳、日記帳、スケッチブックについても同様であり、本に限定されるものではない。
本発明は、本の表表紙及び裏表紙にそれぞれ少なくとも１個ずつ孔を設けたものである。その一例を図１に示した。本１に孔２、３が設けられている。この孔２、３は、表表紙のみならず裏表紙にも設け、表表紙と裏表紙に孔２、３をあける位置は本１を閉じたときにほぼ同じ位置となるようにする。本の大きさや向きを考慮して、後にひもやストラップを孔に取り付けて把手とする際に持ちやすいように、又は個人の好みで孔を設ければよい。尚、孔の形状は図１においては丸い形状を示しているが、携帯するための把手とするひもが通る大きさであれば、丸にこだわらず四角でもその他の形状でも構わない。又、孔の数は図１に示した通りである必要はなく、飾りやファッション性や安定性を考慮して複数個あっても構わない。例えば、ごく接近させた２個の孔を表表紙及び裏表紙にそれぞれ２カ所ずつ、計８個の孔を設けることも出来るし、図６に示したように、異なる形や大きさの孔を模様のように複数個設けて、好きな孔にひもやストラップを通せるようにしても構わないし、図７に示したように、表表紙と裏表紙にそれぞれ１個ずつ、孔を設けても構わない。
本に設けた孔にはひもやストラップを通して把手とし、携帯に便利な本となる。その一例を図２に示した。孔２、３にひも６を通し、切り込み３３、３３’にひねりのような留め具３２、３２’をそれぞれ挿入し、これらの留め具を９０度ひねって固定する。同様に、裏表紙に設けた孔にもひも６’を通し、留め具で固定する。ひもは、本の孔を通すことが出来、且つ装脱着自在でひもに固定が出来るものであれば、図２に示したものに限られるものではない。図３（ａ）から図３（ｃ）までに示したように孔２に通したひも６の切り込み３３におこしのような留め具３０を挿入し、この留め具を上に持ち上げてひも６を固定してもよい。又、図５や図７に示したように、スナップタイプやマグネットタイプの留め具７、８を取り付けたストラップを本の孔に通して留め具同志を留めることも出来るし、図８（ａ）のようなキーホルダー状の金具３５を備えたひも１８を本１の孔２に通し、ひも１８は肩に掛けられるくらいの長さにしてショルダーにしてもよい。装脱着可能なひもは、孔を設けた他の本にも利用することが出来るので、何本も持っていなくても使い回しが出来る。但し、デザイン性の高いひもを何種類も揃え、個人の好みで付け替えることも可能である。又、図７に示した一例に於いては孔に通したひも４とひも４’の各先端同志を結んで把手として利用出来るだけでなく、ひも４とひも４’を本１の近傍で結び本が開くのを防ぐ用途にも利用出来る。このように、携帯に便利になった本であれば、複数の本を携帯し持ち歩くことが可能である。更に、孔のあいた本には、この孔にキーホルダーやアクセサリー等を取り付けることも可能である。
これらのひもやストラップの材質は皮革、シート状のプラスチック、ビニール、ビニールチューブ、木綿等の布、エラスティックテープ等の伸縮性のあるゴム状の布、ゴム紐、ロープ、和紙等の紙類、チェーン、鎖、テープ等、用途と好みに応じて自由に使い分けることが可能である。
本に設ける孔は、本を閉じたときにほぼ同じ位置となるように、表表紙と裏表紙にそれぞれ少なくとも１個ずつあればよいのであるが、２個ずつ孔を設ける場合の孔の位置は図１に示したとおり、本の周縁部の中心からの距離がほぼ同じ位置であると望ましい。そうすれば、孔にひもを通してひもを持ったときに本が傾かず、バランスがよい。
本に設ける孔は、必ずしも表表紙と裏表紙にそれぞれほぼ同じ位置となるように設ける必要がない場合もある。その一例を図３に示した。本１の表表紙にあけられた孔２に対して、裏表紙には表表紙にあけられた孔との上下関係の位置が一致しない位置に孔を設ける。これらの孔の位置が本の周縁部の中心位置から互いに略等距離になるようであればよい。これにより、表表紙の孔２と裏表紙の孔にひも６を１本通すだけで、手に持ったり、肩に掛けることが出来る。更に、ひもを持ったときに本が開かない、バランスがよいという利点がある。もちろん、図１に示したような４個の孔のうちの２個の孔を利用して、この２個の孔に１本のひもを通しても、図３に示した本と同様の効果を有するのは言うまでもない。
本に設けた孔には補強具を備えると長年の持ち運びに耐えられるものとなりうる。本の表紙は紙でできていることが多いため、ひもやストラップを本に設けた孔に通して持ち運びを繰り返しているうちに、この孔が劣化する恐れがあるが、この孔に補強具を備えることによって、劣化の恐れはなくなる。特に、表紙の薄い本に設ける孔に補強具を備えると効果がある。補強具の例としては、設けた孔の大きさにあった金属や樹脂等の物体で孔を覆うか、孔を樹脂等でコーティングし紙の部分を露出させないようにする等があげられる。図６に示したように、補強具１７を備えた孔２が飾りを兼ねていてもよい。
図９に示したように、本１に設けた孔２、３と本のページ部分が重ならないように本の表紙部分を長くすると、孔にひもを通した時にページ部分と重ならず、孔の部分だけがふくらむことがないので、手に持ちやすいものとなる。
本に設けた孔に通すひも、ストラップの長さを変えると、手に持ちやすいものとなる。その一例を図４に示した。本１の表表紙の孔２、３に通すひも６の長さと裏表紙の孔に通すひも６’の長さを意図的に変えて、それぞれのひもは上下関係において互いに重なるように配置する。ひもの長さが同じ場合は、ひもは同列に並ぶので、手に持ったとき２本のひもを同時に握ることになり、違和感を感ずることが多い。しかし、２本のひもの長さを変えて、表表紙側の孔に通したひもと裏表紙側の孔に通したひもが上下関係で重なるようにすると、これらのひもを手続きにしたときに持ちやすいものとなる。
本やノートの他に、筆入れや小物入れやハガキ等の紙類にも孔が設けられていれば、ひもを通した本に一緒に連結させることが出来る。その一例を図２に示した。まず、本１の表表紙の孔２、３にひも６を通し、次に孔のあいた筆入れ５の孔にひも６を通し固定する。これにより、本と一緒に筆入れも携帯することが出来る。思い立ったらすぐにノートに書きこむことが出来る。又、孔のあいた、色鉛筆等を収納する小物入れを、孔を設けたスケッチブックに通したひもに通して連結させれば、スケッチブックと小物入れ以外に何も持たずに、スケッチに出掛けられる。又、孔のあいたハガキ等の紙類は本の内側に収納して、本の孔に通して連結させることも出来、この場合はハガキが汚れることがない。
筆入れや小物入れやハガキに設ける孔は１個であっても、孔を設けた本に連結させることがもちろん可能であるが、孔を２個設ける場合は、これら筆入れ等に設ける孔の間の距離を、本やノートに設ける孔の間の距離とほぼ同じにしておくと本の表表紙又は裏表紙のいずれかの２つの孔にひもを通し、このひもを筆入れ等の２つの孔にも通して連結させることが出来る。又２つの孔にひもを通すため、２カ所で筆入れ等が固定され、安定性を増す。
孔を設けた本の孔に通すためのひもやストラップに環状のゴムを備えると便利なものとなる。その一例を図５に示した。本１の表表紙にあけた孔２、３にひも４を通す際に、環状のゴム１５、１５’をひも４に取り付けておく。これにより、このゴム１５、１５’の中に筆記用具１６を把持して、本を持ち歩くことが出来る。この場合には、筆入れや小物入れを特に必要としない。又、ゴム１５をひも４の内側に取り付けることにより、ゴム１個でも筆記用具を本のページ部分の上に載せる状態となり、筆記用具を把持することが出来る。図５に示した例においては、ゴムをひもの外側に取り付けており、ゴムの伸縮により複数本の筆記用具を把持することが出来る。ゴムをひもの外側に取り付ける場合は、ゴムは２個あったほうが、筆記用具が抜け落ちることがない。
孔を設けた本の孔に通すためのひもやストラップにホック、スナップ、ボタン、マグネット等の留め具を複数備えると、装脱着及び折り曲げが自在で、且つ好みで応用が出来るひもとなる。その一例を図５に示した。まず本１の表表紙にあけた孔２、３にひも４を通す。ひも４の先端には留め具が備えてあり、留め具７と８及び１３と１４をそれぞれ留め合わせる。同様にひも４’を裏表紙に設けた孔に通し、留め具７’と８’及び１３’と１４’をそれぞれ留め合わせる。これにより、ひもを本に固定することが出来る。次に、ひも４についた留め具１０とひも４’についた留め具１１’及びひも４についた留め具１１とひも４’についた留め具１０’をそれぞれ留め合わせる。これにより、持ち運びのときに本が開かないようになる。
留め具を備えたひもは簡単に装脱着可能である。特にマグネットの留め具であれば、子供やお年寄りも力を掛けることなく簡単にひもの装脱着を行うことが出来る。尚、ひも４に備えた留め具の数は、図５に示した通りである必要はなく、最低限、留め具７と８と１３と１４の４つを備え、本１の２個の孔２、３にひもが固定出来る数であればよい。留め具の形状も円形だけでなく、四角形、三角形、楕円形等様々な形を使用出来る。
又、留め具を備えたひもは、孔のところでひもがパタンと折り曲がるので、本を読んだり、絵を描いたりしている時にもひもが邪魔にならない。図７に示したように、本１の孔２に通すひも４の部分が細くなっていると、よりパタンと折り曲げやすいものになる。
更に、ホック、スナップ、ボタン、マグネット等の留め具をひもの先端に複数個ずつ設ければ、持ち運びの際に本が開くのを防ぐ用途と、ひもの長さを調節する用途の両用途に使用することが可能である。その一例を図５に示した。ひもの長さを調節したい場合は、ひも４についている留め具７と留め合わせる留め具を８か９か１０のいずれかより選択すればよい。同様に留め具１４と留め合わせる留め具についても１１か１２か１３のいずれかより選択する。ひも４’についている留め具についても同様で、留め具７’と留め合わせる留め具を８’か９’か１０’のいずれかより選択し、留め具１４’と留め合わせる留め具を１１’か１２’か１３’のいずれかより選択する。持ち運びの際に本を閉じておきたい場合は、先に使用しなかった留め具のうち、ひも４についている留め具１０とひも４’についている留め具１１’及びひも４についている留め具１１とひも４’についている留め具１０’をそれぞれ留め合わせればよい。又はひも４についている留め具９とひも４’についている留め具１２’及びひも４についている留め具１２とひも４’についている留め具９’をそれぞれ留め合わせればよい。これにより、表紙の厚みに応じて、又個人の好みによって長さを調節することが出来ると同時に、持ち歩きや携帯の際に本が開くのを防ぐことが出来る。
更に、ひもに取り付けるホック、スナップ、ボタン、マグネット等の留め具に凹凸や裏表の区別があるものであれば、凹型の留め具と凸型の留め具の並び順に規則性を持たせて配置することにより、１種類の同一のひもを２本用意すれば、先に示した、ひもの長さを調節する用途と携帯の際に本を閉じる用途の両用途を実現出来る。即ち、ひもの両端に備える留め具のうち、一端の最端に備える留め具を凹型、他端の最端に備える留め具を凸型とすれば、一端の残りの留め具を凸型、他端の残りの留め具を凹型にする。こうしてできた同一のひも２本を向かい合わせになるようにして、表表紙の孔及び裏表紙の孔に通す。その一例を図５に示した。ひも４の留め具７と１１と１２と１３は凸型の留め具であり、同様にひも４’の留め具７’と１１’と１２’と１３’も凸型の留め具である。又、ひも４の留め具１４と８と９と１０は凹型の留め具であり、同様にひも４’の留め具１４’と８’と９’と１０’も凹型の留め具である。これより、ひも４とひも４’は同一のものを向かい合わせにしたものであって、先に示した両用途に使用出来るということは一目瞭然である。更に、生産の都合上は１種類の製品を生産すればよいので、効率的、且つ経済的である。
ひもに切り込みを加えたり、ひもに備える留め具の種類を組み合わせることも出来る。その一例を図９に示した。孔２、３に通したひも４は留め具８を切り込み２１又は２２に通して固定し、留め具１３を切り込み２３又は２４に通して固定する。特にひもがゴム状のものであれば伸縮自在であるので、切り込みが短くてもどのような大きさの留め具も通すことが出来る。又、留め具を通す切り込みの位置に応じて、ひもの長さを調節することが出来る。更に本を開かないようにするには、マグネットで出来た留め具９と留め具１２’を合わせ、留め具９’と留め具１２を合わせる。ひもに切り込みを設けたことにより、数多くの留め具をひもに取り付ける必要がなくなる。図９に示したボタン状の留め具の他にも、図２に示したひねりのような留め具３２や図３に示したおこしのような留め具３０を用い、切り込みに通した後に、該留め具をひねったり、おこしたりして固定する方法もある。これらのひねりやおこしはファッション性が高く飾りにもなる。
留め具と切り込み付きのひもを短くしたものを輪状にして本の孔に通し、更にこの輪の中に本来手に持ったり肩に掛けるべきひもを通せば、手に持つひもをパタンと折り曲げることが出来るので、本を読む時等に手に持つひもが邪魔にならず、ひもの装脱着も容易になる。その一例を図８（ｂ）に示した。輪３１にはボタン、ひねり、おこし等の留め具３２と切り込み３３を備えており、本１の孔２に輪３１を通した後、切り込み３３に留め具３２を挿入することで輪３１を固定する。更にこの輪３１に、カン３４等を予め備えたひも１８やストラップを通せばよい。輪３１の固定は２つの留め具同志を合わせて留めてもよい。
図８（ａ）に示したキーホルダー状の金具３５付きのひも１８は、キーホルダー状の金具３５が本１の孔２から簡単に装脱着自在であり、且つキーホルダー状の金具３５が自在に回転し、折り曲がるので、図８（ｂ）に示したのと同様、本を読む時等にひもが邪魔にならない。
又、図８（ｃ）に示したように、装脱着自在な輪３６を２個連接し、一方は本１の孔２に通し、他方はひも１８に接続することによっても、同様の効果がある。
更に、図９にひもを自在に折り曲げることが出来る他の例を示した。図９のひも４、４’の途中に備えられている角カン３７、３７’、３８、３８’により肩から下げられるような長いひも等を自在に折り曲げることが可能であり、ひもが邪魔にならない。ひも４、４’が短い場合でも、途中で折り曲げることが出来れば、電車内等では隣の人に触れないし、又本を読んでいる最中には、このひもがカンのところで自然に折れ曲がり垂れ下がるので読書の邪魔になることはない。特に皮革等の硬い材質のひもの場合に都合がよい。
産業上の利用可能性
本発明の、孔を設けた本やノート等は、ひもやストラップを孔に通せば便利に持ち歩くことが出来るものであり、ひもやストラップを手に持ったり、肩に掛けたりして、ハンドバッグ代わりの感覚で、本やノート等を取り扱うことが出来、携帯に便利なものである。しかも複数の本やノートを同時に持ち歩くことが可能である。特に、スケッチブックに孔を設け、好みのひもやストラップを通し、更に鉛筆や色鉛筆を備えれば、場所を問わずに自由に絵が描けるので、子供からお年寄りまで、とても便利に楽しんで使えるものとなる。
招待状やお知らせハガキに孔を設け、本の孔に一緒に連結させたり、孔を設けた小物入れに手紙等を入れて持ち歩けば、大事な招待状やお知らせハガキをなくすことがないし、すぐに招待状に書かれている行き先を確認することが出来る。又、孔を設けたメモ帳やハガキ等の紙類を本の孔に連結させておけば、何か思いついた時にすぐに書き込むことが出来、後で忘れることがないし、筆まめになるであろう。
子供向けの童話や絵本等の全集の全ての本に孔を設けておき、ひもやストラップを一組以上持っていれば、子供達は喜んで学校に持って行ったり、屋外に持ち出し、好きな場所で好きな時間に本を読むことが出来る。子供向けの本に限らず、誰でも把手付きの本を持ち歩いていれば、バッグの中から本を取り出す必要がなく、通勤や通学途中の電車の中等で時間を有効に利用して読書が出来る。
又、最近美しい装幀の本等が市場に出回っているが、そのような本にも孔を設けていれば、読み終わった後本棚にしまっておくだけでなく、ファッションの一部として持ち歩くことが出来、本に対して「読む」だけでなく「ファッションとして持ち歩く」という付加価値をもたせることが出来る。
システム手帳にも、おしゃれな装幀のものが多く、孔を設けたシステム手帳であれば、市販されているシステム手帳用の孔付のレフィル（小物入れやカード入れや名刺入れ等様々なものが出回っている）等を装着し、この中に化粧品やカードや現金を収納し、システム手帳に設けた孔にビーズや刺繍やアクセサリー等を施したおしゃれなひもを取り付ければ、結婚式やパーティー用のパーティーバッグになる。パーティーバッグとして活用出来るのみならず、日常よく使用する細々とした生活必需品（バンドエイド、切手、ハンカチ、ティッシュ、小銭等）を複数のレフィルに分類して収納し、システム手帳に設けた孔にひもやストラップを通せば、普段の外出用のバッグに代わる「システムバッグ」とも言えるおしゃれなバッグになる。
各種の留め具を備えたひもやストラップは折り曲げが自在であるので、本を読む時等にひもが邪魔になることがないし、更には装脱着が自在であるので、ひもやストラップを取り外せば従来の本やノート等と同様に、棚や引き出しに収納することが可能である。ひもやストラップは、個人の好みで自由に選択出来、その上、孔のあいた全ての本やノート等に簡単に取り付け替えることが出来るため、携帯に便利であるのみならず、趣味を生かせる、経済的である等の効果も奏する。
【図面の簡単な説明】
図１は孔を設けた本の一例を示す図であり、図２は孔を設けた筆入れと孔を設けた本にひもを取り付けた例を示す図であり、図３は孔を設けた本にひもを１本取り付けた例を示す図であり、図４は孔を設けた本に長さの異なるひもを取り付けた例を示す図であり、図５は孔を設けた本に環状のゴムを取り付けた留め具付きのストラップを取り付けゴムの中に筆記用具を挟み込んだ例を示す図であり、図６は孔を設けた本の他の一例を示す図であり、図７は孔を設けた本にひもを取り付けた他の例を示す図であり、図８は孔を設けた本に留め具を備えたひもを取り付けた他の例を示す図であり、図９は孔を設けた本に留め具と切り込みを備えたひもを取り付けた一例を示す図である。
【図１】
2003103981.tif 000003
【図２】
2003103981.tif 000004
【図３】
2003103981.tif 000005
【図４】
2003103981.tif 000006
【図５】
2003103981.tif 000007
【図６】
2003103981.tif 000008
【図７】
2003103981.tif 000009
【図８】
2003103981.tif 000010
【図９】
2003103981.tif 000011
【国際調査報告】
2003103981.tif 000012
2003103981.tif 000013
2003103981.tif 000014
2003103981.tif 000015
2003103981.tif 000016
2003103981.tif 000017
2003103981.tif 000018
2003103981.tif 000019